(57)【要約】【課題】視聴者が前に視聴していた番組を容易に思い出せるようにしたコンテンツ表示装置を提供する。【解決手段】映像再生装置１は、コンテンツ複数のコンテンツの中から選択されたコンテンツの映像を表示する。映像再生装置１は、視聴対象のコンテンツを選択するための選択情報を受信するコンテンツ選択部１７と、画面管理部２０を有する。画面管理部２０は、選択された視聴対象のコンテンツの映像データに基づいて、選択されて動画像として表示している視聴対象のコンテンツの属性情報の変化が検出されると、属性情報が変化する前の動画像から静止画像を生成し、静止画像を第１の画面サイズで表示し、かつ属性情報が変化した後の視聴対象のコンテンツを第１の画面サイズよりも大きなサイズの第２の画面サイズで動画像として表示させるように表示画面の画面構成を変更する。【選択図】図１
2007306527.tif 000002
【特許請求の範囲】
【請求項１】
複数のコンテンツの中から選択されたコンテンツの映像を表示するコンテンツ表示装置であって、
前記複数のコンテンツの中から視聴対象のコンテンツを選択するための選択情報を受信する選択情報受信部と、
前記選択された視聴対象のコンテンツの映像データに基づいて、選択されて動画像として表示している前記視聴対象のコンテンツの前記属性情報の変化が検出されると、前記属性情報が変化する前の動画像から静止画像を生成し、該静止画像を第１の画面サイズで表示し、かつ前記属性情報が変化した後の前記視聴対象のコンテンツを前記第１の画面サイズよりも大きなサイズの第２の画面サイズで動画像として表示させるように表示画面の画面構成を変更する画面構成管理部とを有することを特徴とするコンテンツ表示装置。
【請求項２】
選択されている前記視聴対象のコンテンツの前記属性情報を検出する属性情報検出部と、
前記属性情報を記憶する属性情報記憶部とを有し、
前記画面構成管理部は、前記属性情報検出部が検出した前記属性情報に基づいて、前記属性情報記憶部の前記属性情報を更新することを特徴とする請求項１記載のコンテンツ表示装置。
【請求項３】
前記複数のコンテンツは、放送、配信、又は記録装置に記憶されたコンテンツであることを特徴とする請求項１又は請求項２記載のコンテンツ表示装置。
【請求項４】
前記画面構成管理部は、前記第１の画面のコンテンツが選択されると、前記属性情報が変化する前に選択されていた前記視聴対象のコンテンツを前記第２の画面サイズで動画像で表示し、前記属性情報が変化した後の前記視聴対象のコンテンツの動画像から、前記第１の画面のコンテンツの選択されたときの静止画像を生成し、該静止画像を前記第１の画面サイズで表示させることを特徴とする請求項１から３のいずれか１つ記載のコンテンツ表示装置。
【請求項５】
前記第１の画面と前記第２の画面について、前記属性情報の変化に基づいて画面の派生関係を表示する画面関係表示部をさらに有することを特徴とする請求項１から４のいずれか１つ記載のコンテンツ表示装置。
【発明の詳細な説明】
【技術分野】
【０００１】
本発明は、コンテンツ表示装置に関し、特に、複数のコンテンツの中から選択されたコンテンツの映像を表示するコンテンツ表示装置に関する。
【背景技術】
【０００２】
近年、デジタル放送システムによる地上波放送、BS放送、CS放送、ケーブルテレビ放送等の普及により、視聴者は、テレビ受像機等において、多数のチャンネルの中から視聴したい番組を複数選択できる状況にある。視聴者は、テレビの表示画面を観ながら、リモコン等を操作して、多数のチャンネルの中から視聴したい番組を選択するが、画面には１つのチャンネルの番組しか表示されない。そのため、視聴者は、どのチャンネルでどのような番組が放送されているかを全て記憶しておくことができれば、視聴したい番組のチャンネルの選択を短時間で決定することができるが、チャンネル数が増えてくると、視聴者の記憶における番組とチャンネルの対応付けが容易ではなくなる。
【０００３】
そこで、選択対象の複数のチャンネルの複数の番組の画像を、例えば、マルチ画面形式で１つの表示画面上に表示することも提案されている（例えば、特許文献１参照）。マルチ画面形式で複数のチャンネルの番組の画像が１つの表示画面上に表示されているので、視聴者は、その複数の画像を観ながら、視聴したい番組を選択することが容易となる。
【０００４】
しかし、視聴者が選択したチャンネルの番組の画面は、コマーシャル放送が途中で入ることにより、中断される場合が多い。あるいは、視聴者が、番組の途中で他のチャンネルの番組を観たくなり、視聴者がチャンネルを変更する場合もある。
【０００５】
これらの場合に、視聴者は、コマーシャル前に観ていた番組がどのような場面であったのか、あるいは途中で他のチャンネルに切り替えたがその後、前に観ていたチャンネルの番組を再度観ようとチャンネルを戻したときに、視聴者が、前に観ていた番組がどのような内容であったかを、直ぐに思い出せない場合も生じ得る。
【０００６】
前に観ていた番組がどのような場面、内容等であることを容易に思い出せないと、番組鑑賞の連続性が絶たれるため、視聴者にとっては、番組の面白さが低減したり、前に観ていた番組へのチャンネル切り替えをスムーズに行えないという状況が生じる。
【特許文献１】特開2002-281406号公報
【発明の開示】
【発明が解決しようとする課題】
【０００７】
そこで、本発明は、視聴者が前に視聴していた番組を容易に思い出せるようにしたコンテンツ表示装置を提供することを目的とする。
【課題を解決するための手段】
【０００８】
本発明の一態様のコンテンツ表示装置は、複数のコンテンツの中から選択されたコンテンツの映像を表示するコンテンツ表示装置であって、前記複数のコンテンツの中から視聴対象のコンテンツを選択するための選択情報を受信する選択情報受信部と、前記選択された視聴対象のコンテンツの映像データに基づいて、選択されて動画像として表示している前記視聴対象のコンテンツの前記属性情報の変化が検出されると、前記属性情報が変化する前の動画像から静止画像を生成し、該静止画像を第１の画面サイズで表示し、かつ前記属性情報が変化した後の前記視聴対象のコンテンツを前記第１の画面サイズよりも大きなサイズの第２の画面サイズで動画像として表示させるように表示画面の画面構成を変更する画面構成管理部とを有する。
【発明の効果】
【０００９】
本発明に係るコンテンツ表示装置によれば、視聴者が前に視聴していた番組を容易に思い出せるようにしたコンテンツ表示装置を実現することができる。
【発明を実施するための最良の形態】
【００１０】
以下、図面を参照して本発明の実施の形態を説明する。  
（全体の構成）  
まず図１に基づき、本発明の第１の実施の形態に係わるコンテンツ表示装置の構成を説明する。図１は、本実施の形態に係わるコンテンツ表示装置としての映像再生装置の構成を示す構成図である。
【００１１】
映像再生装置１は、例えば、HD（ハードディスク装置）内蔵型のビデオレコーダであり、複数の放送データ受信部１１ａを含むチューナ１１と、映像データ受信部１２と、映像データ記憶部１３と、属性情報抽出部１４と、ユーザ操作受付部１５と、画面関係表示部１６と、コンテンツ選択部１７と、ステータス監視部１８と、画面管理部１９と、属性情報記憶部２０と、静止画像データ記憶部２１とを含む。さらに、映像再生装置１は、ハードディスク装置等の映像データを記憶するコンテンツ記憶部２３と、そのコンテンツ記憶部２３からの映像データを再生する再生部２４と、再生部２４で再生しているコンテンツデータの再生位置を記憶する再生位置情報記憶部２５を含む。なお、放送データ、コンテンツデータ等中の音声信号の処理部については、説明は省略する。
【００１２】
画面関係表示部１６と、コンテンツ選択部１７と、ステータス監視部１８と、画面管理部１９と、属性情報記憶部２０と、静止画像データ記憶部２１とが、画面表示処理部２２を構成する。
【００１３】
ユーザは、リモコン等の操作部を操作して、視聴したいコンテンツである番組を放送している放送局のチャンネルを選択すると、ユーザ操作受付部１５は、その選択信号を受信し、その選択信号に基づく選択情報を、選択情報受信部であるコンテンツ選択部１７へ出力する。コンテンツ選択部１７は、選択されたチャンネルに対応する放送局の送信信号を選択的に受信するように、チューナ１１のいずれかの放送データ受信部１１ａ、再生部２４と、画面管理部１９とに、視聴対象のコンテンツを選択する選択情報などを出力する。
【００１４】
また、後述するように、ユーザ操作受付部１５は、画面関係表示指示信号を受信すると、画面関係表示部１６に画面関係表示指示情報を出力する。
【００１５】
各放送データ受信部１１ａは、アンテナで受信した電波の中から、選択されたチャンネルの放送データを受信する。チューナ１１から出力された放送データは、映像データ受信部１２に供給され、映像データが抽出され映像データ記憶部１３に記憶される。映像データ記憶部１３に記憶された映像データは、画面管理部１９へ供給される。
【００１６】
映像データ受信部１２からの映像データは、属性情報抽出部１４に供給され、属性情報が抽出されて、画面管理部１９へ供給される。
【００１７】
画面管理部１９は、後述するように、複数のコンテンツの動画像と静止画像を生成して、モニタの表示画面にマルチ画面の形式でLCD等のモニタに出力するための処理部である。画面管理部１６は、複数の画面中、後述するアクティブ状態の画面には、動画像が表示されるように、LCD等に動画像の映像データを出力する。
【００１８】
なお、アクティブ状態とは、コンテンツが動画像で表示される状態をいい、アクティブ状態の画面は、選択されたコンテンツを動画像で表示する画面をいう。
【００１９】
また、画面管理部１９は、複数の画面中、静止画像を表示する画面には対応する静止画像が表示されるように、入力された映像データから静止画像データを生成し、静止画像データ記憶部２１に記憶する。  
よって、画面構成管理部としての画面管理部１９は、コンテンツ選択部１７からの選択情報に応じて、アクティブ状態の画面に動画像を表示し、静止画像を表示する画面には静止画像データ記憶部２１から静止画像データを読み出して静止画像を表示するように、動画像と静止画像の画面の生成と出力の制御を行う。
【００２０】
画面管理部１９は、入力された属性情報に基づいて、属性情報記憶部２０の属性情報テーブルのデータの生成等を行う。後述するように、画面管理部１９は、その属性情報テーブルのデータに基づいて、表示画面中の各画面の生成、消滅等の処理も行う。
【００２１】
放送データは、属性情報を含む。放送データには、属性情報として、ここでは、チャンネル、タイトル等のデータだけでなく、放送データがコマーシャル映像のデータか、本編映像のデータかの区別をするための映像種類情報が含まれる。また、後述するように、本編放送とコマーシャル放送の区別は、受信した映像データの信号形態に基づいて検出するという、既存の方法によっても行うこともできるので、そのような方法により、その区別を行うようにしてもよい。
【００２２】
属性情報記憶部２０には、後述するような属性情報テーブルが記憶されており、画面管理部１９等によって、属性情報テーブルのデータの生成、変更、消去等が行われる。
【００２３】
また、再生部２４は、コンテンツ選択部１７からの選択情報に従って、コンテンツ記憶部２３から指定されたコンテンツを選択して読み出して、再生を行い、再生して得られた映像データを映像データ受信部１２へ出力する。
【００２４】
再生位置情報記憶部２５は、再生部２４が、再生しているコンテンツの再生位置情報を記憶する記憶部であり、再生部２４が、コンテンツを再生しているときに、再生位置の検出あるいは確認を常に行いながら、コンテンツの再生位置を再生位置記憶部２５に記憶する。後述するように、再生位置記憶部２５には、現在再生しているコンテンツの再生している再生位置だけでなく、コンテンツの途中で再生を中断しているコンテンツの中断したときにそれまで再生していた位置の情報が記憶される。なお、再生位置情報は、例えば、コンテンツの初めを「０」として、再生における経過時間の情報である。
【００２５】
（全体の作用）  
ここで、ユーザがテレビ番組を試聴する場合について簡単に全体的な映像再生装置１の動作を説明すると、ユーザは、リモコン等を用いて、視聴したい番組の放送局のチャンネルを選択すると、その選択情報がユーザ操作受付部１５からコンテンツ選択部１７へ供給される。コンテンツ選択部１７は、選択された放送局を受信するようにソースの選択情報をチューナ１１へ出力する。チューナ１１は、選択して受信した放送局の映像データを映像データ受信部１２へ供給する。映像データは、映像データ受信部１２から属性情報抽出部１４に供給され、属性情報が抽出され、属性情報が画面管理部１９に供給される。映像データ受信部１２は、映像データを映像データ記憶部１３へ出力し、映像データ記憶部１３から、映像データが画面管理部１９に供給される。
【００２６】
画面管理部１９は、入力された映像データを、モニタのLCDへ出力する。同時に、画面管理部１９は、属性情報テーブルを生成して、属性情報記憶部２０に記憶する。
【００２７】
映像データの属性情報が変化した場合、例えば映像が本編映像からコマーシャル映像に変わった、あるいはユーザがリモコン等を操作してチャンネルを変更した場合、画面管理部１９は、サブ画面を生成してそれまで表示していた動画像の本編の最後のシーンの静止画像、あるいは前のチャンネルの映像の最後のシーンの静止画像を、サブの小さな画面に表示するために、マルチ画面の画像データを生成する。
【００２８】
また、ユーザがハードディスク装置に記憶されたコンテンツ、例えばテレビ放送から録画した番組のコンテンツを試聴する場合についても全体的な映像再生装置１の動作を簡単に説明する。ユーザは、リモコン等を用いて、モニタの表示画面上にコンテンツの選択画面を表示させて、視聴したい録画されている映画等のコンテンツを選択すると、その選択情報がユーザ操作受付部１５からコンテンツ選択部１７へ供給される。コンテンツ選択部１７は、選択されたコンテンツを再生するように再生部２４へ出力する。再生部２４は、選択されたコンテンツデータをコンテンツ記憶部２３から読み出してコンテンツを再生し、再生して得られた映像データを映像データ受信部１２へ供給する。映像データから属性情報が抽出され、属性情報が画面管理部１９に供給され、映像データ記憶部１３から、映像データが画面管理部１９に供給される。
【００２９】
録画番組の映像データの属性情報が変化した場合、あるいはユーザがリモコン等を操作してコンテンツデータ記憶部２２に記憶された別のコンテンツを視聴するべく、視聴対象のコンテンツを変更した場合、画面管理部１９は、サブ画面を生成してそれまで再生表示していたコンテンツの映像の最後のシーンの静止画像を、サブの小さな画面に表示するために、マルチ画面の画像データを生成する。
【００３０】
すなわち、画面構成管理部としての画面管理部１９は、属性情報等に基づいて、現在表示している画面の内容を変更するか否かを判定し、モニタ上に表示する画面構成をそのままの状態として継続する、あるいは画面構成を変更する処理を行う。
【００３１】
（画面構成の例）  
まず、本実施の形態の映像再生装置１の各部の動作を説明する前に、表示画面における画面構成の変化の例を、ケース毎に具体的に説明する。  
１）コマーシャル放送による中断のケース
視聴者であるユーザが、リモコンを用いて視聴したいチャンネルを選択して図２に示すような画面の形式で、テレビの放送番組を試聴していたとする。図２は、モニタの表示画面の例を示す図である。図２では、ユーザは、例えば、野球放送番組を選択して視聴している。そのときのモニタの表示画面１０１には、野球放送のチャンネルの動画像D1が表示画面と同じ程度の大きなサイズの画面１０１ａで表示されている。その試聴中に、番組の本編の野球放送の途中で、コマーシャル放送（以下、単にコマーシャルということもある）に変わることがある。
【００３２】
そのような場合、映像表示装置１は、本編の野球放送（以下、野球放送を単に野球ということもある）の映像の、コマーシャルに変わる前の最後のシーンの静止画像を生成し、かつ、表示画面１０１上の画面構成を変更して、その静止画像と共に、コマーシャルを動画像でモニタの表示画面上に表示する。図３は、本編の途中でコマーシャルが挿入されたときのモニタの表示画面の例を示す図である。
【００３３】
図３に示すように、コマーシャルの動画像D2と本編の静止画像D1sが、表示画面１０１上に表示される。このとき、コマーシャルの動画像D2は、静止画像D1sの画面１０２ａよりも大きいサイズの画面１０１ｂに表示される。すなわち、コマーシャル前の本編（野球）の映像の最後のシーンの静止画像D1sは、コマーシャルの動画像の画面サイズよりも小さいサイズの画面１０２ａで、コマーシャルの動画像D2と共に表示画面１０１上に、マルチ画面形式で表示される。
【００３４】
従って、コマーシャル放送の間は、コマーシャルの動画像D2は、サイズの大きな画面で表示され、野球放送の最後のシーンの静止画像D1sはそれより小さい画面で表示されている。そして、コマーシャル放送が終わると、映像表示装置１は、そのコマーシャルの終了を検知して、表示画面の構成を図２の表示状態に戻す。図２の表示状態に戻ったときに、表示される動画像は、その戻った時点において受信している放送データに基づく画像である。
【００３５】
映像表示装置１は、このような表示構成の変更をすることによって、ユーザに対して、コマーシャル放送を確実に見せながら、本編の最後のシーンをあたかもメモのように、表示画面上に見せておく。その結果、ユーザは、コマーシャルが終わった後に、どのような状態から、本編が再開されるかを知ることができるので、本編の展開を、継続性を持って楽しむことができる。
【００３６】
言い換えると、上述したような表示画面によれば、コマーシャルによって本編の視聴を強制的に中断されてしまうが、本編、ストーリ等の展開が分かり難くなるというユーザのストレスは、低減される。
【００３７】
２）放送チャンネルの切り替えのケース
図２のように、ユーザは、例えば、あるチャンネルの野球放送番組を視聴していたが、途中で他のチャンネルの自動車番組に切り替えることがある。そのような視聴するチャンネル切り替えの場合に、図３に示すように、新たに選択した他のチャンネルの番組の動画像D2と、前に選択していたチャンネルの番組の映像の最後のシーンの静止画像D1sを、それぞれ画面１０１ｂと１０１ａとして、表示画面１０１上に表示する。すなわち、野球放送の映像の最後のシーンの静止画像D1sは、新たに選択された他のチャンネルの動画像の画面サイズよりも小さいサイズの画面１０２ａで、新たに選択された他のチャンネルの動画像D2と共に表示画面１０１上に、マルチ画面形式で表示される。
【００３８】
映像表示装置１は、このような表示構成の変更をすることによって、ユーザに対して、切り替えたチャンネルの番組を見せながら、前に観ていたチャンネルの番組の最後のシーンをあたかもメモのように、表示画面上に見せておく。その結果、ユーザは、切り替えたチャンネルの前に、どのような番組を観ていたのかを知りながら、切り替えたチャンネルの番組を観ることができる。
【００３９】
そして、ユーザは、表示画面に表示されているサムネイルの画面のチャンネルの番組を観たいときに、そのチャンネルを覚えていれば、そのチャンネル番号をリモコン等で直接入力すればよい。その結果、そのサムネイルの画面のチャンネルの番組が動画像で表示される。表示される動画像は、その時点において受信している放送データに基づく画像である。
【００４０】
なお、マルチ画面上における画面選択操作により、ユーザが選択画面を変更するようにしてもよい。そのようにすれば、ユーザは前に選択していたチャンネルを覚えていなくても選択することができる。例えば、選択されている画面の枠が強調されることによって選択されている画面が認識できるような状態で、ユーザがその枠を十字キーなどを用いて移動させて選択画面を変更して、決定ボタン等を押すことによってサムネイルの画面のチャンネルに選択して変更する。表示画面上に表示されている複数の画面の中から１つを選択する方法は、映像再生装置１のユーザインターフェースによって、種々の方法があり得る。
【００４１】
また、ユーザにとっては、新たに選択された他のチャンネルの動画像D2を、図３の画面１０１ｂで観るよりは、図２の画面１０１ａで観る方が、画面サイズが大きく、コンテンツの視聴に専念できる。そのため、一定時間経過すると、図３の画面表示状態から図２の画面の表示状態に変更されるようにしてもよい。あるいは所定の操作がされなければ、図２の画面から図３の画面に表示変更されないようにしてもよい。そのような場合は、通常は、ユーザは、切り替わった画面を大きなサイズの画面で観ることができ、必要なときに、視聴を途中で中断した番組のサムネイルの静止画像を確認することができる。
【００４２】
３）放送チャンネルの切り替えとコマーシャル放送による中断の組合せのケース
本編の途中でコマーシャルが挿入されたときには、表示画面は、上述した図３に示すように、コマーシャルの動画像D2はサイズの大きな画面で表示され、コマーシャルが入る前の本編の最後のシーンの静止画像D1sはそれより小さい画面で表示される状態になる。その状態で、ユーザが、他のチャンネルの番組に切り替えたが、その切り替えた番組でもコマーシャルが入ることがある。
【００４３】
図４と図５は、放送チャンネルの切り替えとコマーシャル放送による中断の組合せのケースの表示画面の例を示す図である。
【００４４】
そのような場合は、図４に示すように、切り替えたチャンネルの番組（例えば、動物番組）において、コマーシャルに変わる前の本編（例えば、動物番組）の最後のシーンの静止画像D3sが、小さなサイズの画面１０２ｃに表示され、切り替えたチャンネルのコマーシャルの動画像D4が、大きなサイズの画面１０１ｂに動画で表示される。そのとき、最初に選択したチャンネルの本編の最後のシーンの静止画像D1sと、最初に選択したチャンネルのコマーシャルの最後のシーン（チャンネルを切り替えたときのシーン）の静止画像D2sも、小さなサイズの画面１０２ａと１０２ｂにそれぞれ表示される。
【００４５】
後述するように、映像再生装置１は、選択された各チャンネルの映像データの属性情報を監視しており、例えば最初に選択されたチャンネルの映像データの属性情報が、コマーシャルから本編に変化すると、コマーシャルの静止画像D2sの表示を表示画面から削除する。その結果、図５のように、最初に選択されたチャンネルの本編の最後のシーンの静止画像D1sと、その次に選択されたチャンネルの本編の最後のシーンの静止画像D3sと、その次に選択されたチャンネルのコマーシャルの動画像D4が、表示画面１０１上に表示される。
【００４６】
なお、図示はしないが、次に選択されたチャンネルのコマーシャルが終了すると、コマーシャルの動画像D4が消え、２回目に選択されたチャンネルの本編の動画像D3が大きな画面１０１ｂに、１回目に選択されたチャンネルの本編の最後のシーンの静止画像D1sが小さな画面１０２ａに、表示される。
【００４７】
４）ハードディスク装置に録画済みのコンテンツの切り替えのケース
視聴者は、放送されているコンテンツを視聴するのではなく、記録媒体に記録されたコンテンツ、例えば録画された番組を視聴する場合もある。映像再生装置１において、ハードディスク装置等のコンテンツ記憶部２３に記録されたコンテンツが、視聴対象のコンテンツである。そのような場合も、ユーザは、リモコンを用いて視聴したい録画済みのあるコンテンツを選択して図２に示すような画面の形式で、そのコンテンツを試聴していたとする。図２では、ユーザは、例えば、スポーツ番組のコンテンツ（前日に録画した野球放送番組）を選択して視聴している。その途中で、他のユーザが別の録画されたコンテンツを観たい場合、例えば子供が子供番組のコンテンツ（前日に録画されたアニメーション番組）を観たい場合、再生していたコンテンツの再生を一旦停止し、その別の録画されたコンテンツの再生がされる場合がある。
【００４８】
そのような場合、映像表示装置１は、前に再生していたコンテンツ（上述の例ではスポーツ番組のコンテンツ）の映像の最後のシーン（一旦停止したときのシーン）の静止画像を生成し、かつ、表示画面１０１上の画面構成を変更して、その静止画像と共に、その別の録画されたコンテンツ（上述の例では子供番組）の再生映像（動画像）をモニタの表示画面上に表示する。
【００４９】
図３に示すように、表示画面１０１上に、その別の録画された子供番組のコンテンツの動画像D2が画面１０１ｂに、スポーツ番組のコンテンツの静止画像D1sが画面１０２ａに表示される。このときも、静止画像D1sは、動画像の画面１０１ｂのサイズよりも小さいサイズの画面１０２ａで、その別の録画されたコンテンツの動画像D2と共に表示画面１０１上に、マルチ画面形式で表示される。
【００５０】
そして、後から選択されたコンテンツ（上述の例では子供番組）の再生が終了すると、映像表示装置１は、その終了を検知して、表示画面の構成を図２の表示状態に戻すか、あるいは、図３の画面構成で、画面１０１ｂには何も表示されない状態となる。
【００５１】
従って、このような表示構成の変更をすることによって、映像表示装置１は、ユーザに対して、新たに選択されたコンテンツの再生映像を見せながら、途中で再生を中断している番組の最後のシーン（一旦停止したときのシーン）をあたかもメモのように、表示画面上に見せておく。その結果、ユーザは、新たに選択されたコンテンツの再生が終わった後に、途中で再生を中断している番組がどのような状態から再開されるかを知ることができるので、途中で再生を中断している番組の展開を継続性を持って楽しむことができる。
【００５２】
さらに、上述した新たに選択されたコンテンツの再生も途中で中断してさらに別の録画されたコンテンツを観たい場合、例えばドラマ番組のコンテンツ（以前に録画された刑事番組）を観たい場合、再生していた子供番組の再生を一旦停止し、その別の録画されたコンテンツ（刑事番組）の再生がされる場合がある。
【００５３】
そのような場合、映像表示装置１は、前に再生していたコンテンツ（上述の例では子供番組のコンテンツ）の映像の最後のシーン（一旦停止したときのシーン）の静止画像を生成し、かつ、表示画面１０１上の画面構成を変更して、その静止画像と共に、その別の録画されたコンテンツ（上述の例では刑事番組）の再生映像（動画像）をモニタの表示画面上に表示する。
【００５４】
図６に示すように、その別の録画されたコンテンツの動画像D3と、スポーツ番組のコンテンツの静止画像D1s及び子供番組のコンテンツの静止画像D2sが、表示画面１０１上に表示される。このときも、静止画像D1sとD2sは、動画像の画面サイズよりも小さいサイズの画面１０２ａ、１０２ｂで、それらとは別の録画されたコンテンツの刑事番組の動画像D3と共に表示画面１０１上に、マルチ画面形式で表示される。刑事番組の動画像D3は、画面１０２ａ、１０２ｂよりも大きなサイズの画面１０１ｂに表示される。
【００５５】
そして、後から選択されたコンテンツ（上述の例では子供番組）の再生が終了すると、映像表示装置１は、その終了を検知して、表示画面の構成を図３の表示状態に戻すか、あるいは、図６の画面構成で、画面１０１ｂには何も表示されない状態となる。
【００５６】
このような場合も、映像表示装置１は、このような表示構成の変更をすることによって、ユーザに対して、新たに選択されたコンテンツの再生映像を見せながら、途中で再生を中断している２つの番組の最後のシーンをあたかもメモのように、表示画面上に見せておく。その結果、ユーザは、新たに選択されたコンテンツの再生が終わった後に、途中で再生を中断している２つの番組がどのような状態から再開されるかを知ることができるので、途中で再生を中断している２つの番組のいずれも、その展開を継続性を持って楽しむことができる。
【００５７】
従来のＨＤレコーダなどでは、マルチ画面で録画されている複数のコンテンツをサムネイルの画像で表示する機能を有するものがあるが、表示されるのは、全ての録画されているコンテンツの最初のシーン（録画されているコンテンツの全映像の中の最初のシーン）をサムネイル画面で表示していた。これに対して、本実施の形態では、再生途中のコンテンツのみのシーンであって、かつ途中で再生を中断したときのシーンを、サムネイル画面で表示する。よって、ユーザは、視聴途中のコンテンツを容易に選択することができる。言い換えると、ユーザは、視聴途中のコンテンツの選択を短時間に行うことができ、選択に時間がかかるというようなストレスを感じないし、かつ、どのような状態から再生されるかを知ることができ、そのコンテンツの展開を継続性を持って楽しむことができる。
【００５８】
なお、録画されているコンテンツの再生の場合は、後述するように、属性情報テーブルには、再生位置情報等も必要となる。その場合の属性情報テーブルの構成については後述する。
【００５９】
４）放送チャンネルと録画済みのコンテンツの切り替えのケース
上述した３つのケースが組み合わさったケースを説明する。図７は、視聴者であるユーザが、録画済みのあるコンテンツの視聴と、放送チャンネルのコンテンツの視聴を行い、かつ、途中でコマーシャルが入った場合を説明するための図である。
【００６０】
最初に視聴していたコンテンツは、録画されていた動物番組であり、途中で視聴を中断しているので、サムネイルの静止画像D1sで画面１０２ｃに表示されている。２番目に視聴していたコンテンツは、テレビ放送のゴルフ番組であり、さらに途中で視聴を中断しているので、サムネイルの静止画像D2sで画面１０２ｅに表示されている。３番目に視聴していたコンテンツは、録画されていたＦ１グランプリ番組であり、さらに途中でコマーシャルが入り、そのコマーシャル放送の再生の途中で視聴を中断しているので、本編の視聴していた最後のシーン（停止したときのシーン）の静止画像D3sが画面１０２ｄに表示され、コマーシャルの視聴していた最後のシーン（停止したときのシーン）の静止画像D4sが画面１０２ｂに表示されている。４番目に視聴していたコンテンツ（現在視聴しているコンテンツ）は、テレビ放送の野球番組であり、さらに現在コマーシャル放送中であり、本編の視聴していた最後のシーン（停止したときのシーン）の静止画像D5sが画面１０２ａに表示され、コマーシャルの動画像D6が画面１０１ｂに表示されている。
【００６１】
図７は、このような状況における表示画面の例を示す。
【００６２】
従って、ユーザは、過去の視聴途中のコンテンツがマルチ画面で表示されているので、ユーザは、視聴途中のコンテンツを、その視聴していた最後のシーンの静止画像から容易に思い出すことができるので、途中で視聴を中断している番組のいずれも、その展開を継続性を持って楽しむことができる。
【００６３】
なお、表示画面上の画面数は、図７の場合、６個を最大数として制限している。従って、過去に視聴していたコンテンツの数が多くなり過ぎて、個々の静止画像が小さくなり過ぎるということが無いようにしている。
【００６４】
さらに、マルチ画面において、数が増えてくると、どの画面が本編か、コマーシャルか判別し難くなるので、所定のコマンド操作に応じて、画面の関係を表示できるようになっている。
【００６５】
図８は、図７の画面表示において、画面関係表示がマルチ画面に重畳されている例を示す図である。図８に示すように、各画面に、属性情報が文字情報として表示されている。これらの属性情報の表示は、ユーザがリモコン等で所定の操作を行うことによって表示される。図８は、画面ID、チャンネル、映像種類、派生元画面IDの４つの情報が表示されている例であるが、他の属性情報を表示してもよい。
【００６６】
そして、図８では、表示された画面間に派生関係があるため、所定の記号でその関係を示している。ユーザによる所定のコマンド操作に応じて、図８の表示画面上に画面関係が表示されている。図８では、静止画像D4sは、静止画像D5sから派生したものであることを矢印記号A1で示し、動画像D6は、静止画像D3sから派生したものであることを矢印記号A2で示している。従って、ユーザは、派生関係のある画面を容易に認識することができる。
【００６７】
なお、画面関係表示は、属性情報が表示されている状態で、所定のコマンド操作が行われた場合に表示されるが、属性情報が表示されていない状態で、所定のコマンド操作が行われた場合に、矢印表示等の関係情報と併せて各画面の属性情報を表示するようにしてもよい。
【００６８】
次に、以上のような作用を生じる映像再生装置１の各部毎に動作を説明する。なお、各部の動作は、本実施の形態に係わる処理の部分のみについて説明する。  
（画面関係表示部）  
まず、画面関係表示部１６の処理について説明する。図９は、画面関係表示部１６の処理の流れの例を示すフローチャートである。
【００６９】
画面関係表示部１６は、ユーザがリモコン等で画面関係を表示させるためのコマンド（以下、画面関係表示コマンドという）を指示（具体的には、画面関係コマンドに対応する操作ボタンを押すという操作等）すると、画面関係表示部１６は、ユーザ操作受付部１５からその画面関係表示指示情報（以下、画面関係表示コマンドという）を受信する。その画面関係表示コマンドを受信すると、図９の処理が実行される。
【００７０】
まず、画面関係表示部１６は。属性情報記憶部２０に記憶された属性情報テーブルの属性情報を順番に参照する（ステップS1）。１つの属性情報を読み出して参照した結果、その属性情報が派生元画面IDの情報を持つか否かを判断する（ステップS2）。
【００７１】
属性情報が派生元画面IDの情報を持つ場合は、ステップS2でYESの場合となり、派生元画面IDが示す画面との関係を示す情報を表示する（ステップS3）。ステップS3の処理は、具体的には、画面関係表示部１６から画面管理部１９へ、その関係情報を表示するように指示情報が供給され、画面管理部１９において関係情報の表示のための処理が実行される。その関係情報として画面の派生関係は、図８では、矢印表示A1,A2で表示されているが、他の表示形態でもよい。
【００７２】
また、属性情報が派生元画面IDの情報を持たない場合は、ステップS2でNOの場合となり、処理は、ステップS4に移行し、全ての属性情報の参照が終わったか否かを判断する。全ての属性情報の参照が終わっていなければ、処理は、ステップS1に戻る。全ての属性情報の参照が終わっていれば、ステップS4でYESとなり、処理は終了する。なお、ステップS2でNOの場合は、処理は、ステップS4に以降する。
【００７３】
ここで、属性情報テーブルについて説明する。図１０は、画面管理部１６が生成する属性情報テーブルの例を示す図である。属性情報テーブル２０１は、項目として、画面ID(識別子)、日付、時間、チャンネル、映像種類、タイトル、再生位置、派生元画面ID、アクティブの項目を有する。
【００７４】
図１０は、図８の表示画面状態の場合の属性情報テーブルの例を示す図である。従って、ステップS3では、画面IDが「０４」の属性情報には、派生元画面IDが「０２」となっているので、画面ID「０４」の画面が画面ID「０２」の画面から派生したものであることという情報が得られるので、画面関係表示部１６は、画面管理部１９にその画面関係の情報を供給する。同様に、図１０では、画面ID「０５」の画面が画面ID「０１」の画面から派生したものであることという情報が得られるので、画面関係表示部１６は、画面管理部１９にその画面関係の情報を供給する。
【００７５】
従って、この画面関係表示部１６によって、ユーザは、画面間の派生関係を一見して知ることができるので、視聴を途中で中断したコネテンツの視聴を容易に認識でき、容易に選択することもできる。
【００７６】
（コンテンツ選択部）  
次に、コンテンツ選択部１７の処理について説明する。図１１と図１２は、コンテンツ選択部１７の処理の流れの例を示すフローチャートである。図１１と図１２は、サムネイル画像は、ユーザの要求に応じて表示される場合の例であり、ここでは、サムネイル表示要求と画面切り替え要求の場合の処理を主に示している。
【００７７】
ユーザからのコンテンツ選択の指示等の要求は、ユーザ操作受付部１５を介してコンテンツ選択部１７へ入力される。コンテンツ選択部１７は、まず、ユーザ要求の情報を受け付ける（S11）。次に、受け付けたユーザ要求は、「サムネイル表示」要求か否かの判断が行われる（ステップS12）。ユーザ要求が「サムネイル表示」要求の場合、ステップS12でYESの場合となり、属性情報テーブルを参照し、各画面を配置し（ステップS13）、アクティブな画面では再生を行い、それ以外の画面ではサムネイル用の静止画像を表示する（ステップS14）ように、コンテンツ選択部１７は、画面管理部１９へ指示情報を出力する。その後、処理は終了する。従って、ユーザは、選択したコンテンツを観るときには、以前に視聴選択して途中まで視聴したコンテンツのサムネイル画像を観ないようにして、選択したコンテンツを鑑賞することができるが、現在視聴途中のコンテンツがどれぐらいあるのか、等々を知りたいときだけ、ユーザがこの「サムネイル表示」要求を指示すると、図３から図７に示したようなマルチ画面の画面構成で、現在視聴中のコンテンツの動画像と、視聴途中のコンテンツの静止画像を観ることができる。
【００７８】
また、ステップS12で、NOの場合、すなわち、ユーザ要求が「サムネイル表示」要求でない場合であって、既にサムネイル表示を行っている場合に、ユーザ要求が「画面切り替え」要求か否かが判断される（ステップS15）。ユーザ要求が「画面切り替え」要求でない場合は、ステップS15でNOとなり、その他の要求に応じた処理が実行される（ステップS16）。なお、サムネイル表示をしていないときに、チャンネルの選択等がされたときは、ステップS15でNOとなってチャンネル選択が行われる。
【００７９】
サムネイル表示されているとき、ユーザ要求が「画面切り替え」要求である場合、ステップS15でYESとなり、図１２の処理に移行し、属性情報テーブルを参照し、選択した画面のチャンネル情報を取得する（ステップS21）。
【００８０】
次に、選択された画面のチャンネルが放送チャンネルか否かが判断される（ステップS22）。放送チャンネルの場合、ステップS22でYESとなり、選択した画面をアクティブにし、ユーザは、放送チャンネルの視聴を再開する（ステップS23）。放送チャンネルでない場合、ステップS22でNOの場合となり、選択した画面をアクティブにし、ユーザは、該当のコンテンツの再生位置から視聴を再開する（ステップS24）。そして、それまでアクティブだった動画面のサムネイル用の静止画像を表示することができる（ステップS25）。そして、属性情報テーブルの内容を更新する（ステップS26）。
【００８１】
以上のようなコンテンツ選択部１７によって、ユーザ要求に応じて、図３等のサムネイル画像表示をさせたり、図２等の放送チャンネルの動画再生、図６等の録画されたコンテンツの再生が可能となる。
【００８２】
（ステータス監視部）  
次に、ステータス監視部１８の処理について説明する。図１３が、ステータス監視部１８の処理の流れの例を示すフローチャートである。ステータス監視部１８は、まず、属性情報テーブルを参照し、コマーシャル（以下、CMと略す）再生中の画面があるか否かを判断する（ステップS31）。CMを再生中の画面があると、ステップS31でYESの場合となり、バックグラウンドで、CMを再生していたチャンネルの現在の放送データを受信する（ステップS32）。なお、CMを再生中の画面がなければ、ステップS31でNOとなり、処理は終了する。
【００８３】
そして、受信したそのCMのチャンネルの放送データから属性情報の映像種類を抽出する（ステップS33）。映像種類が「CM」（コマーシャル）であれば、ステップS34でYESとなり、処理は、何もしないで終了する。映像種類が「CM」（コマーシャル）でないとき、すなわちと、放送が本編放送に変わったときは、ステップS34でNOとなり、CM再生していた画面を消去し、その画面に関する属性情報を属性情報テーブルから削除する（ステップS35）。
【００８４】
このような処理を行うことによって、図５で説明したように、マルチ画面で表示された各画面の中でCMが終わった静止画像D2sは消えるので、ユーザはCMが終わったことを視覚的に容易に知ることができる。
【００８５】
（画面管理部）  
次に、画面管理部１９の処理について説明する。図１４、図１５及び図２０は、画面管理部１９の処理の流れの例を示すフローチャートである。画面管理部１９は、映像データを受信する度に属性情報を取得する。すなわち、画面管理部１９は、連続して取得する映像データに同期して、あるいは対応して、各映像データの属性情報を取得している。
【００８６】
まず、次に表示する映像データの属性情報を取得する（ステップS41）。画面管理部１９は、取得した属性情報がその前に取得した、すなわち現在表示している映像データの属性情報と異なっている、すなわち属性情報が現在の属性情報から変化するか、を判断する（ステップS42）。ここでは、属性情報の中で、チャンネルと映像種類の２つのデータに変化があったか否かが判断される。
【００８７】
属性情報が現在の属性情報から変化しなければ、ステップS42でNOとなり、画面管理部１９は、現在の画面形式での映像データの表示を継続し（ステップS43）、処理は、ステップS41に戻る。  
属性情報が現在の属性情報から変化する場合は、ステップS42でYESの場合となり、次に表示する映像データの属性情報と、属性情報テーブルのデータを読み出して比較する（ステップS44）。属性情報の変化は、上述したように、同一チャンネルでの本編からコマーシャルへの内容の変化、あるいはユーザによるチャンネルの変更などにより生じる。
【００８８】
画面管理部１９は、その比較の結果、次に表示する映像データの属性情報が、属性情報テーブルに既に存在しているかを判断する（ステップS45）。具体的には、次に表示する映像データの属性情報のチャンネルと映像種類が同じ属性情報が既にあるかが判断される。この判断は、コマーシャル放送から本編放送に切り替わり、本編放送が再開されたとき等に、元の同じチャンネルに戻ったことを検出するためのものである。属性情報テーブルの構成については、後述する。
【００８９】
ステップS45でYESの場合、すなわち、変更のあった属性情報が属性情報テーブルに既にあった場合、処理は、図１５のステップS51に飛び、画面管理部１９は、現在動画像として表示している画面の属性情報が派生元画面IDを有するか否かを判断する（ステップS51）。
【００９０】
現在動画像として表示している画面の属性情報が派生元画面IDを有する場合は、ステップS51でYESの場合となり、画面管理部１９は、現在の画面構成の表示を終了する（ステップS52）。そして、画面管理部１９は、派生元画面IDの画面IDの画面の動画像での表示を再開する（ステップS53）。これは、例えば、野球放送番組において、コマーシャルが終了したので、図３から図２の状態に画面構成を変更して、現在受信中の本編の動画像を表示する場合に相当する。  
そして、画面管理部１９は、属性情報テーブルの内容を更新する（ステップS54）。ステップS54では、それまで動画像として表示していたチャンネルの属性情報、上記の例であればコマーシャル放送の属性情報を削除する。
【００９１】
具体的に説明すれば、例えば、本編を視聴している途中でコマーシャルが入って来なければ、そのときの属性情報テーブルは、図１６のような状態である。図１６から図１９は、属性情報テーブルの例を示す図である。そして、本編を視聴している途中でコマーシャルが入ると、モニタの表示画面は、図３のような画面構成となる。そのときの属性情報テーブルの内容は、図１７のようであったとする。その後、コマーシャルが終了すると、画面管理部１９は、図１４のステップS45でYESとなり、かつ図１５のステップS51でYESとなるので、ステップS52からS54の処理を実行する。その結果、表示画面は、図３の画面から図２の画面に戻り、かつ属性情報テーブルも図１６の状態に戻る。なお、図２の画面に戻ると、受信しているリアルタイムの映像データの画像が、モニタ上に表示される。
【００９２】
ここで、属性情報テーブルの更新処理について説明する。  
画面管理部１６は、ユーザがチャンネルを選択すると、コンテンツ選択部１７は、その選択された映像データを受信するので、その映像データ中の属性情報に基づいて、画面IDを発番し、日付、時間、チャンネル、映像種類、タイトル、再生位置、アクティブのデータを、属性情報テーブル２０１に１つの属性情報として生成して登録する。なお、アクティブのフラグが立っているところ（「１」）の属性情報については、日付と時間のデータは常に更新される。
【００９３】
上述した例の場合、ユーザが最初に４ｃｈを選択してその番組の試聴をすると、画面ID「０１」に対応する属性情報が生成される。このとき、画面ID「０１」に対応するアクティブ項目が、フラグ「１」となる。上述した例であれば、ユーザが最初に、球放送番組を放送しているチャンネルを選択すると、図１６のような属性情報テーブルの属性情報が生成される。
【００９４】
野球放送の途中でコマーシャルが入ると、属性情報に変化があったので、画面管理部１６は、新たに、画面IDを発番し、日付、時間、チャンネル、映像種類、アクティブのデータを、属性情報テーブル２０１に別の属性情報として生成する。例えば、画面ID「０２」に対応する属性情報が生成される。このとき、図１７に示すように、画面ID「０２」に対応する属性情報では、チャンネルは４ｃｈであり、映像種類がコマーシャル（ＣＭ）となり、アクティブ項目がフラグ「１」がとなる。このとき、画面ID「０１」に対応するアクティブ項目が、フラグ「０」となる。
【００９５】
そして、コマーシャル放送が終了すると、図１７の画面ID「０２」の属性情報が削除され、属性情報テーブルは、図１６に示す状態に戻り、図３から図２のような画面構成に変わって、ユーザは、本編の視聴を現在受信中の映像データから開始することができる。
【００９６】
図１５に戻り、現在動画像として表示している画面の属性情報が派生元画面IDを有しない場合は、ステップS51でNOの場合となり、画面管理部１９は、属性情報が変化する前の動画像（すなわちそれまで動画像として表示していたチャンネルの動画像）からサムネイル用の静止画像を作成し、静止画像データ記憶部２１にストアすると共に、図３の画面D1sに示すように表示画面１０１上にサムネイル画像を表示する（ステップS55）。
【００９７】
そして、画面管理部１９は、変化した属性情報である、次の属性情報の画面の動画像での表示を再開する（ステップS56）、すなわち図３の画面D2に、次の属性情報に係るチャンネルの現在受信中の動画像の表示を行う。属性情報が変化する前の動画像（すなわちそれまで動画像として表示していたチャンネルの動画像）は、図３の画面D1sにサムネイルの静止画で表示される。さらに、画面管理部１９は、属性情報テーブルの内容を更新する（ステップS57）。その後、処理は、ステップS41に戻る。
【００９８】
この場合の属性情報テーブルの状態を説明する。ユーザが、例えば、最初に４ｃｈの野球放送を選択し、その後８ｃｈの自動車番組を選択したときには、属性情報テーブルは、図１８に示すような状態にある。そのときのモニタの表示画面は、図３に示すようなマルチ画面の構成である。
【００９９】
その後、再び４ｃｈが選択されると、図１８の画面ID「０２」の属性情報が更新され、属性情報テーブルは、図１９に示す状態となり、図３のような画面構成に変わって、４ｃｈの野球放送の動画像が、画面１０１ｂに表示される。
【０１００】
以上のように、ステップS55からS57では、例えば、ユーザがチャンネルを切り替えて他のチャンネル、例えば１０ｃｈの自動車の番組にして、さらに元の４ｃｈチャンネルに戻すように切り替えた場合に、画面管理部１９は、それまで動画像で表示していたチャンネル（１０ｃｈ）の画面の静止画像のサムネイルを作成して、図３の画面D1sのように表示画面１０１上に小さく表示する。加えて、画面管理部１６は、切り替えられて戻ったチャンネル（４ｃｈ）の動画像の映像データの表示を、図３の画面D2のように表示画面１０１上に大きく表示する。
【０１０１】
図１４に戻り、ステップS45でNOの場合、すなわち属性情報テーブルに、同じチャンネルの属性情報が無い場合、図２０の処理に移行し、画面管理部１９は、属性情報が変化する前のチャンネルの動画像からサムネイル用の静止画像を作成して、サムネイルとして表示する（ステップS61）。
【０１０２】
そして、画面管理部１９は、表示画面上に表示している画面の数が、所定の最大数を超えたか否かを判断する（ステップS62）。
【０１０３】
表示画面上に表示している画面の数が、所定の最大数を超えていなければ、ステップS62でNOとなり、動画像を表示する画面D2（図３参照）に、新しいチャンネルの番組の動画像の表示を行う（ステップS63）。なお、最初のチャンネル選択が行われたときは（例えば、ユーザがテレビを見はじめたときは）、図２の新しい画面を開いて、新しいチャンネルの動画像の画面の表示を行う。また、さらに続いて、次のチャンネルの選択が行われたときは(例えば、ユーザがテレビを見はじめてから、チャンネルを切り替えたときは)、図３のように、画面D2を開いて、新しいチャンネルの動画像の画面の表示を行う。
【０１０４】
そして、画面管理部１９は、属性情報テーブルの内容を更新する（ステップS64）。すなわち、画面管理部１９は、新規のチャンネルの番組の画面の属性情報を属性情報テーブルに追加する。
【０１０５】
また、表示画面上に表示している画面の数が、所定の最大数を超えていれば、ステップS62でYESとなり、属性情報テーブルを参照し、日付と時間が最も古い、サムネイル用の画面を消去する（ステップS65）。そして、画面管理部１９は、属性情報テーブルの内容を更新する（ステップS66）。すなわち、消去したチャンネルの番組の画面の属性情報を削除する。その後、処理は、ステップS63に移行する。
【０１０６】
上述した図７と図８の場合、画面数の最大数は、6個である。従って、いわゆるFIFO（First-In-First-Out）の順で、複数の画面が表示画面上に表示される。
【０１０７】
以上のように、本実施の形態によれば、視聴者は、放送番組中に本編の途中でコマーシャルが入った場合、あるいはコンテンツを切り替えた場合に、前の視聴内容がメモのように静止画で表示されているので、前のコンテンツの視聴に戻る前に、その前のコンテンツの内容がどのような内容であったかを把握できる。
【０１０８】
よって、視聴者は、視聴しているコンテンツにおいてコマーシャルから本編の番組に切り替わるとき、コンテンツのストーリの展開にスムーズに対応したり、あるいはコンテンツを切り替える前のコンテンツの内容がわかるので、コンテンツの選択を効率的に行うことができる。
【０１０９】
なお、以上説明した本実施の形態に係る映像再生装置１は、ハードディスク装置等の記録媒体を有し、放送番組を受信する機能を有する、いわゆるHD（ハードディスク装置）内蔵型のビデオレコーダであるが、コンテンツ表示装置は、ハードディスク装置等の記録媒体の無い装置、例えば、単なるテレビ受像機、いわゆるセットトップボックス（STB）等の装置でもよい。その場合、コンテンツ表示装置は、具体的には、図１において、その場合、コンテンツ記憶部２３、再生部２４、及び再生位置情報記憶部２５が設けられていないテレビ受像機、セットトップボックス（STB）である。
【０１１０】
また、上述した例では、録画されたコンテンツがビデオレコーダ内のハードディスク内に記録されている例であるが、記録あるいは記憶されているコンテンツは、インターネット等の通信回線を介して配信可能なサーバ等の外部装置内にあってもよい。例えば、コンテンツ表示装置が、インターネットを介して、ユーザからの要求に応じて、いわゆるビデオ・オン・デマンド形式でコンテンツの映像データを受信する。受信したときに、コンテンツの再生時間を、再生位置情報として記憶し、途中で再生が中断された後に再生を開始するときには、コンテンツ表示装置が、コンテンツのタイトルとその再生時間情報と共に、サーバへコンテンツの配信要求の送信を行うことによって、画面管理部は、上述したような実施の形態のマルチ画面の画面構成管理を行うことができる。その場合、サーバは複数あってもよく、サーバ毎に上述したような属性情報の管理が行われる。
【０１１１】
さらになお、画面関係表示部１６は、画面管理部１９の機能の一部として、画面管理部１９に含まれるようにしてもよい。
【０１１２】
また、上述したコンテンツ表示装置は、インターネット等の通信回線を介して、サーバ装置から配信された映像データを受信して、コンテンツを視聴できるような装置、例えばＰＣ（パーソナルコンピュータ）であってもよい。
【０１１３】
さらにまた、上述した例では、生成される静止画像は、例えばコマーシャルに変わる前の最後のシーンの画像であったが、動画像の最後のシーンよりも少し前の、最後のシーンに近いシーンでもよい。例えば、コマーシャルに変わる前の１コマの画像ではなく、数コマ前の画像を静止画像としてもよい。
【０１１４】
以上説明したように、本実施の形態に係る映像再生装置によれば、視聴者が前に視聴していた番組を容易に思い出せるようにしたコンテンツ表示装置を実現することができる。  
本発明は、上述した実施の形態に限定されるものではなく、本発明の要旨を変えない範囲において、種々の変更、改変等が可能である。
【図面の簡単な説明】
【０１１５】
【図１】本発明の実施の形態に係わる映像再生装置の構成を示す構成図である。
【図２】本発明の実施の形態に係わるモニタの表示画面の例を示す図である。
【図３】本編の途中でコマーシャルが挿入されたときのモニタの表示画面の例を示す図である。
【図４】放送チャンネルの切り替えとコマーシャル放送による中断の組合せのケースの表示画面の例を示す図である。
【図５】放送チャンネルの切り替えとコマーシャル放送による中断の組合せのケースの表示画面の例を示す図である。
【図６】録画済みのコンテンツの切り替えのケースの表示画面の例を示す図である。
【図７】放送チャンネルと録画済みのコンテンツの切り替えのケースの表示画面の例を示図である。
【図８】図７の画面表示において、画面関係表示がマルチ画面に重畳されている例を示す図である。
【図９】画面関係表示部の処理の流れの例を示すフローチャートである。
【図１０】画面管理部が生成する属性情報テーブルの例を示す図である。
【図１１】コンテンツ選択部の処理の流れの例を示すフローチャートである。
【図１２】コンテンツ選択部の処理の流れの例を示すフローチャートである。
【図１３】ステータス監視部の処理の流れの例を示すフローチャートである。
【図１４】画面管理部の処理の流れの例を示すフローチャートである。
【図１５】画面管理部の処理の流れの例を示すフローチャートである。
【図１６】属性情報テーブルの例を示す図である。
【図１７】属性情報テーブルの例を示す図である。
【図１８】属性情報テーブルの例を示す図である。
【図１９】属性情報テーブルの例を示す図である。
【図２０】画面管理部の処理の流れの例を示すフローチャートである。
【符号の説明】
【０１１６】
１  コンテンツ表示装置、２２  コンテンツ表示装置、１０１  モニタの表示画面、２０１  属性情報テーブル
【図１】
2007306527.tif 000003
【図２】
2007306527.tif 000004
【図３】
2007306527.tif 000005
【図４】
2007306527.tif 000006
【図５】
2007306527.tif 000007
【図６】
2007306527.tif 000008
【図７】
2007306527.tif 000009
【図８】
2007306527.tif 000010
【図９】
2007306527.tif 000011
【図１０】
2007306527.tif 000012
【図１１】
2007306527.tif 000013
【図１２】
2007306527.tif 000014
【図１３】
2007306527.tif 000015
【図１４】
2007306527.tif 000016
【図１５】
2007306527.tif 000017
【図１６】
2007306527.tif 000018
【図１７】
2007306527.tif 000019
【図１８】
2007306527.tif 000020
【図１９】
2007306527.tif 000021
【図２０】
2007306527.tif 000022